(57)【要約】【課題】  バルク内に混ざった水分、さらには臭気などを、搬送中外部に一切漏出させることにない、可搬式コンテナを提供する。【解決手段】  後妻側に左右一対の観音開き式のドア２ａ，２ｂを有するコンテナ主体１ａにおいて、長手方向において相対する左右の側壁の後妻側の支柱フレーム３は、それぞれコーナ部の一角を断面Ｌ字状に切欠いて切欠き部４が形成される。前記各切欠き部４，４を外側に位置させた状態で、各切欠き部４内にドアパネル２ａ（２ｂ）を構成する一方側のパネルフレームＰＦを、それぞれヒンジを介して装着し、両者間にＬ字状の隙間を形成し、外部に開口する隙間Ｘには開口部を閉止するパッキン５を、内部に開口する隙間Ｙにはシート状のガスケット６を装着して可搬式コンテナ１とする。【選択図】      図３
2014037263.tif 000002
【特許請求の範囲】
【請求項１】
後妻側に左右一対の観音開き式のドアを有するコンテナ主体において、
長手方向において相対する左右の側壁の後妻側の支柱フレームは、それぞれコーナ部の一角を断面Ｌ字状に切欠いて切欠き部が形成されるとともに、
前記各切欠き部を外側に位置させた状態で、各切欠き部内にドアパネルを構成する一方側のパネルフレームを、それぞれヒンジを介して装着し、
前記支柱フレームとパネルフレームの装着によって両者間にＬ字状の隙間を形成し、外部に開口する隙間には開口部を閉止するパッキンを、内部に開口する隙間にはシート状のガスケットを装着したこと
を特徴とする可搬式コンテナ。
【請求項２】
前記各ドアは、
その上縁部および下縁部には、いずれもシート状のガスケットが装着され、前記コンテナ主体の上縁部と下縁部に生じる隙間が完全に密封されていること
を特徴とする請求項１に記載の可搬式コンテナ。
【請求項３】
前記各ドアの相対するパネルフレームは、
一方側のパネルフレームの内側に、他方のパネルフレームの内面を覆うことのできるシート状のガスケットが付設されていること
を特徴とする請求項１に記載の可搬式コンテナ。
【請求項４】
前記パッキンは、
前記支柱フレームとドアのパネルフレームの一部を覆う閉止部と、前記閉止部の裏面に付設され、前記支柱フレームとパネルフレーム間に固定するための支承部とからなること
を特徴とする請求項１に記載の可搬式コンテナ。
【発明の詳細な説明】
【技術分野】
【０００１】
この発明は、輸送船やトレーラ上に搭載される可搬式コンテナ、より具体的には、バルク輸送に最適な可搬式コンテナに関するものである。
【背景技術】
【０００２】
廃棄物と一般貨物の両方を同じコンテナで輸送することは、広く知られている。
かかるコンテナは、例えば、特表２００８−５４３６８０号公報（特許文献１）で示されるように、左右一対の側壁、前妻側の側壁、底壁、上壁及び一対のヒンジ付の後妻側の開口部からなるものである。
【０００３】
一方、例えば、特開２０００−１４２８７９号公報（特許文献２）においては、コンテナ本体と、そのコンテナ本体の上面にあって開閉可能な天蓋と、前記コンテナ本体の後部にある上部扉と、該上部扉の下方にあって外方下向きに回転して開く下部扉を含んでなる輸送コンテナが提案されている。
【０００４】
前記特許文献２に記載のコンテナの特徴は、前記上部および下部の扉のための水密パッキン構造を有するものである。
具体的には、コンテナ本体の後面は、上部に観音開き状に開閉可能な一対の上部扉と、下部にコンテナ本体の底部に取付けられたヒンジを回転軸として下向きに開く開閉可能な下部扉とからなっている。
前記上部扉は、コンテナ本体の後部のポストに取り付けられたヒンジを回転軸として、左右の上部扉がそれぞれ左右に開くものである。
下部扉には、ロック機構があって、ロック可能になっている。また、上部扉にもロック機構が設けられている。
【０００５】
かかるコンテナにおいて、前記特許文献２は、下部扉のコンテナ本体と当接する部分あるいはコンテナ本体側の対応する位置には、例えば、合成樹脂などの水密パッキンを貼付け、水濡れを防止するのが好ましい。これによって、含水廃棄物などの輸送運搬の際にも、水漏れや環境汚染を防止することができる。このような水密パッキンは、上部扉とコンテナ本体及び下部扉との間にも設けることができる、としている。
【先行技術文献】
【特許文献】
【０００６】
【特許文献１】特表２００８−５４３６８０号公報（段落０００８，図１，２）
【特許文献２】特開２０００−１４２８７９号公報（請求項１，段落０００６，図１）
【発明の概要】
【発明が解決しようとする課題】
【０００７】
前記特許文献２に記載の発明は、上部扉とコンテナ本体および下部扉との間にも、水漏れや環境汚染を防止するため、合成樹脂などの水密パッキンを貼り付けることが開示されているものの、前記水密パッキンがどのような形状を有し、どのような手段で上部扉とコンテナ本体との間、あるいは下部扉との間に貼り付けるのかについては具体的に開示されていない。
【０００８】
この発明はかかる現状に鑑み、バルク内に混ざった水分、さらには臭気などを、搬送中外部に一切漏出させることにない、可搬式コンテナを提供することを目的とする。
【課題を解決するための手段】
【０００９】
前記課題を解決するため、この発明の請求項１に記載の発明は、
後妻側に左右一対の観音開き式のドアを有するコンテナ主体において、
長手方向において相対する左右の側壁の後妻側の支柱フレームは、それぞれコーナ部の一角を断面Ｌ字状に切欠いて切欠き部が形成されるとともに、
前記各切欠き部を外側に位置させた状態で、各切欠き部内にドアパネルを構成する一方側のパネルフレームを、それぞれヒンジを介して装着し、
前記支柱フレームとパネルフレームの装着によって両者間にＬ字状の隙間を形成し、外部に開口する隙間には開口部を閉止するパッキンを、内部に開口する隙間にはシート状のガスケットを装着したこと
を特徴とする可搬式コンテナである。
【００１０】
この発明の請求項２に記載の発明は、
請求項１に記載の可搬式コンテナにおいて、
前記各ドアは、
その上縁部および下縁部には、いずれもシート状のガスケットが装着され、前記コンテナ主体の上縁部と下縁部に生じる隙間が完全に密封されていること
を特徴とするものである。
【００１１】
この発明の請求項３に記載の発明は、
請求項１に記載の可搬式コンテナにおいて、
前記各ドアの相対するパネルフレームは、
一方側のパネルフレームの内側に、他方のパネルフレームの内面を覆うことのできるシート状のガスケットが付設されていること
を特徴とするものである。
【００１２】
この発明の請求項４に記載の発明は、
請求項１に記載の可搬式コンテナにおいて、
前記パッキンは、
前記支柱フレームとドアのパネルフレームの一部を覆う閉止部と、前記閉止部の裏面に付設され、前記支柱フレームとパネルフレーム間に固定するための支承部とからなること
を特徴とするものである。
【発明の効果】
【００１３】
この発明にかかる可搬式コンテナは、後妻側に左右一対の観音開き式のドアを有するコンテナ主体において、長手方向において相対する左右の側壁の後妻側の支柱フレームを、それぞれコーナ部の一角を断面Ｌ字状に切欠いて切欠き部を形成とするとともに、各切欠き部を外側に位置させ、前記各切欠き部内に、ドアパネルの一方のパネルフレームを、それぞれヒンジを介して装着し、前記支柱フレームとパネルフレームの装着によって両者間に生じるＬ字状の隙間を形成し、外部に開口する隙間には開口部を閉止するパッキンを、内部に開口する隙間にはシート状のガスケットを装着し、コンテナ主体内を密封しているので、内部から排水などが外部に漏れ出す危険性がなく、かつ臭気の外部への逸散も防止することができる。
【００１４】
特に、この発明においては、長手方向において相対する左右の側壁の後妻側の支柱フレームを、それぞれコーナ部の一角を切欠いて断面Ｌ字状とするとともに、各切欠き部を外側に位置させ、前記各切欠き部に、ドアパネルの一方のパネルフレームを、それぞれヒンジを介して装着するよう構成し、ドアと支柱フレームとの間にＬ字状の隙間を形成させ、この隙間をパッキンやガスケットによって密封するので、確実にコンテナ内部を外部から遮断することができる。
【図面の簡単な説明】
【００１５】
【図１】この発明の可搬式コンテナにおける開閉用ドアの概略説明図である。
【図２】この発明における支柱フレームとドアフレームとの関係を示す説明図である。
【図３】図１における要部の拡大平面図である。
【発明を実施するための形態】
【００１６】
以下、この発明にかかる可搬式コンテナの一実施例を、添付の図面に基づいて具体的に説明する。
なお、この発明は、図面に示す実施例にのみ限定されるものではなく、要旨を変更しない範囲内において種々改良を加えることができるものである。
【００１７】
この可搬式コンテナ１（以下、単に「コンテナ」という、）は、特に図示しないが、国際海上コンテナの基準であるＩＳＯ（国際標準化機構）やＣＳＣ（コンテナの安全に関する国際条約）に適合したものである。
このコンテナ１の主用途はバルクの搬送であるが、通常の貨物も当然搬送可能なものである。
【００１８】
前記コンテナ１は、前妻側の側壁（図示せず）、左右方向において相対する側壁１ｂ，１ｃ、底板１ｄおよび天蓋（図示せず）とで、後妻側が開口されたコンテナ主体１ａを構成したものである。
【００１９】
なお、前記上面部の開口には天蓋が着脱自在に装着され、上面部を開閉自在としたものであって、前記天蓋は、クレーン等を使用して取り外し・固定を行うものであるが、用途によっては、天蓋を必要としない場合もあるので、前記天蓋は必ずしも必須のものではない。
【００２０】
前記コンテナ主体１ａにおいて、後妻側に配置される支柱フレーム３，３、図２で明らかなように、いずれも中空の角パイプのコーナ部の一角をＬ字状に切欠いて切欠き部４が形成され、図１に示すように、各切欠き部４，４が互いに相対するよう側壁１ｂ，１ｃに装着固定される。
【００２１】
前記コンテナ主体１ａの後妻側に設けられた開口部は、ヒンジ（図示せず）を介して前記支柱フレーム３，３にそれぞれ装着された観音開き式の左右一対のドア２ａ，２ｂによって開閉自在に構成されている。
【００２２】
前記コンテナ主体１ａの後妻側の開口部に設けられる左右一対のドア２ａ，２ｂは、それぞれパネルＰと、このパネルＰの左右両側縁に配されるパネルフレームＰＦ，ＰＦで構成されている。
外側に位置するパネルフレームＰＦは、前記コンテナ主体１ａを構成する側壁１ｂの端部に配置される支柱フレーム３に、ヒンジ（図示せず）によって回動可能に装着されている。
【００２３】
より具体的に説明すると、図２で明らかなように、前記支柱フレーム３は、前記パネルフレームＰＦと相対する部位がＬ字状に切り欠かれ、切欠き部４が形成されているので、この切欠き部４と前記パネルフレームＰＦとの間には、少なくとも二つの空隙部ＸとＹがＬ字状に形成される。
【００２４】
すなわち、前記空隙部Ｘは、コンテナ１の外方に開口するもので、前記空隙部Ｙは、前記コンテナ主体１ａ内に開口するものである。
【００２５】
この空隙部Ｘ，Ｙは、左右のドア２ａ，２ｂのフレーム主体１ａの上部から下部に生じるもので、前記空隙部Ｘには、図３に示すパッキン５が、上端から下端に至るまでそれぞれ介装される。
【００２６】
このパッキン５は、図３で明らかなように、前記支柱フレーム３の表面とパネルフレームＰＦの表面の一部を覆う閉止部５ａと、前記閉止部５ａの裏面に付設され、前記支柱フレーム３とパネルフレームＰＦ間に固定するための支承部５ｂとで構成されている。
【００２７】
さらに、前記パネルフレームＰＦの背面壁と、この背面壁と相対する支柱フレーム３の長手側壁間に形成される空隙部Ｙには、各ドア２ａ，２ｂの上部から下部に亘って所要の幅と厚みを有するシート状のガスケット６が装着される。
同時に、各ドア２ａ，２ｂを構成するパネルＰの上縁部および下縁部に沿って、それぞれ所要の幅と厚みを有する、フレーム主体１ａと当接するシート状のガスケット７が装着されている。
【００２８】
さらに、この発明においては、各ドア２ａ，２ｂが互いに接する部位、具体的には、各パネルフレームＰＦ，ＰＦが接する部位、にも隙間Ｚが生じるので、この隙間Ｚを密封するため、いずれか一方側のドア２ａ，２ｂのパネルフレームＰＦの内側に、他方のパネルフレームＰＦの背面と密着する長さのガスケット８が装着されているものである。
【００２９】
かかるパッキン４およびガスケット６，７，８によって、コンテナ１はすべての空隙部が密閉されているため、バルクなどの積載物から生ずる水は、コンテナ１外に一切漏水しないので、輸送中における道路の汚染、保管時の置き場の汚染を確実に防止することができる。
【産業上の利用可能性】
【００３０】
この発明の可搬式コンテナは、コンテナ主体を構成する支柱フレームを特定の形状として、ドアを構成するパネルフレームとの間に隙間を生じさせ、生じた隙間をパッキンとガスケットによって完全に密封したので、コンテナ内の排水や臭気が外部に漏れ出すことがないので、あらゆるコンテナに利用することができるものである。
【符号の説明】
【００３１】
１          可搬式コンテナ
１ａ        コンテナ主体
１ｂ，１ｃ  コンテナ主体の側壁
１ｄ        コンテナ主体の底板
２ａ，２ｂ  ドア
３          支柱フレーム
４          切欠き部
５          パッキン
６，７，８  ガスケット
Ｘ，Ｙ，Ｚ  隙間
Ｐ          パネル
ＰＦ        パネルフレーム
【図１】
2014037263.tif 000003
【図２】
2014037263.tif 000004
【図３】
2014037263.tif 000005